(57)【要約】【目的】複数の数値データに基づく表示結果を導出すると共に、当該処理の対象範囲内に特定表示結果となる数値データが含まれない場合にも、導出する数値データの個数を変化させることができる遊技機を提供する。【構成】所定の条件が成立したとき、数値データ記憶手段に記憶された数値データのうち複数の数値データに対応した可変表示を同時に実行し、複数の数値データに対応した表示結果を事前判定手段による判定結果に基づいて導出する表示結果一括導出手段を備えることにより、数値データ記憶手段に記憶された数値データの中に特定表示結果となる数値データが含まれる場合にも複数の数値データに対応した表示結果を導出することで、遊技者に特定遊技状態の発生を悟られ難く出来ると共に数値データに基づく可変表示を効率良く実行出来るため、遊技の興趣を向上させることが出来る。【選択図】        図６
2004344466.tif 000002
【特許請求の範囲】
【請求項１】
所定の始動条件の成立に基づいて各々が識別可能な複数種類の識別情報の可変表示を行い表示結果を導出表示する可変表示装置を含み、
前記始動条件の成立後、可変表示の開始条件の成立に基づいて前記複数種類の識別情報を可変表示させた後に表示結果を導出表示させて当該可変表示の表示結果が特定表示結果となったとき遊技者にとって有利な特定遊技状態に制御する遊技機において、
前記識別情報を含むデータを記憶するデータ記憶手段と、
該データ記憶手段に記憶されたデータを用いて前記可変表示装置を表示制御する表示制御手段と、
前記可変表示に関わる決定に用いられ、所定の数値範囲内で数値データを更新する数値データ更新手段と、
前記始動条件の成立時に前記数値データ更新手段から数値データを抽出し、該抽出された数値データを当該始動条件に対応して抽出順番が特定可能に記憶すると共に、前記数値データのうち未だ前記開始条件が成立していない始動条件に対応する数値データを予め定めた上限数まで記憶する数値データ記憶手段と、
前記数値データ記憶手段に記憶される数値データが所定の判定値と合致するか否かに基づいて前記特定表示結果を表示するか否かの判定を行う事前判定手段と、
所定の条件が成立したとき、前記数値データ記憶手段に記憶された前記数値データのうち複数個の数値データに対応した可変表示を同時に実行し、前記複数個の数値データに対応した表示結果を前記事前判定手段による判定結果に基づいて導出する表示結果一括導出手段と、
前記数値データ記憶手段に記憶された前記数値データ数を判定する数値データ数判定手段と、
前記数値データ記憶手段に記憶された数値データに、前記所定の判定値と合致する数値データがあるか否かを判定する数値データ判定手段と、
前記数値データ判定手段の判定結果に関わらず、前記数値データ数判定手段によって前記数値データ数が所定個数以上と判定されたとき、前記表示結果一括導出手段によって導出する数値データの個数を選択する一括導出数選択手段と、を含み、
前記一括導出数選択手段は、前記表示結果一括導出手段によって導出する数値データに含まれる前記事前判定手段によって特定の表示結果を表示する旨の判定がされた数値データを１つ以下とするように選択する機能を有し、
前記表示結果一括導出手段は、前記一括導出数選択手段によって選択された数値データの個数に基づき、複数個の数値データに対応した表示結果を導出することを特徴とする遊技機。
【請求項２】
前記データ記憶手段には、前記数値データ記憶手段に記憶された前記数値データの個数を表す表示パターンとして予め定められた複数の数値データ表示パターンに対応した複数の数値データ表示データが記憶され、
前記複数の数値データ表示パターンは、前記数値データ記憶手段に記憶された前記数値データ数に応じて所定のキャラクタ画像の形態を変化させる数値データ数表示キャラクタ変化パターンを含み、
前記数値データ記憶手段に記憶された数値データの個数を特定可能に表示するメモリ表示制御手段をさらに含み、
前記メモリ表示制御手段は、前記数値データ表示データを用い、前記数値データ記憶手段に記憶された数値データ数に応じて前記キャラクタ画像の形態を変化させることを特徴とする請求項１に記載の遊技機。
【請求項３】
前記表示結果一括導出手段によって数値データに対応した表示結果を導出するとき、前記表示制御手段は、すべての数値データに対応する表示結果を個々に導出表示することを特徴とする請求項１または請求項２に記載の遊技機。
【請求項４】
前記表示結果一括導出手段によって数値データに対応した表示結果を導出するとき、前記表示制御手段は、複数の表示結果の導出表示タイミングを異ならせて導出表示する機能を含むことを特徴とする請求項３に記載の遊技機。
【請求項５】
前記一括導出数選択手段は、前記数値データ数判定手段によって前記数値データ記憶手段に記憶された前記数値データの個数が所定の基準値以上と判定されたとき前記表示結果一括導出手段によって導出する数値データの個数を前記数値データ数判定手段によって前記数値データ記憶手段に記憶された前記数値データの個数が前記所定の基準値より少ないと判定されたとき前記表示結果一括導出手段によって導出する数値データの個数より、多い数値データの個数を選択される割合が高くなるように前記一括導出数選択手段が選択を行うときに用いる選択データを構成した一括導出数選択テーブルを用いて選択することを特徴とする請求項１乃至請求項４に記載の遊技機。
【請求項６】
前記表示結果一括導出手段によって数値データをまとめて導出したとき、前記表示制御手段はまとめて導出した数値データの個数を報知する機能を有することを特徴とする請求項１乃至請求項５に記載の遊技機。
【発明の詳細な説明】
【０００１】
【発明の属する技術分野】
本発明は、所定の始動条件の成立に基づいて各々が識別可能な複数種類の識別情報の可変表示を行い表示結果を導出表示する可変表示装置を含み、前記始動条件の成立後、可変表示の開始条件の成立に基づいて前記複数種類の識別情報を可変表示させた後に表示結果を導出表示させて当該可変表示の表示結果が特定表示結果となったとき遊技者にとって有利な特定遊技状態に制御する遊技機に関するものである。
【０００２】
【従来の技術】
従来、保留記憶数が所定数を超過したとき、一定のまとまった数の保留記憶を一括して消化するもの（例えば、特許文献１参照。）は提案されている。
【０００３】
【特許文献１】
特開２００３−０１９２９７号公報（第４−５頁、図７）
【０００４】
【発明が解決しようとする課題】
しかし、上記した従来技術の場合、保留記憶数（始動記憶数、若しくは数値データ数）が所定数を超過したときの処理として、保留記憶数に対応して予め設定された、一括して消化する保留記憶の処理数を、その処理数の保留記憶の中に大当りとなる保留記憶が含まれる場合に限って、当該大当りとなる保留記憶までの保留記憶を一括して消化して、前記大当りとなる保留記憶より後の保留記憶の消化を行わないような処理数となるように、一括して消化する保留記憶数を変動して設定していた為、遊技者に保留記憶内の大当りの有無を悟られ易い構成となっていたことにより、遊技の興趣を著しく損なうものであった。本発明は、上記した事情に鑑みなされたもので、その目的とするところは、始動記憶（数値データ）を一括して消化する処理を行うと共に、当該処理の対象範囲内に大当りとなる始動記憶が含まれない場合にも、一括して消化する始動記憶の処理数を変化させることができる遊技機を提供することにある。
【０００５】
【課題を解決するための手段】
上記目的を達成するために、請求項１の発明においては、所定の始動条件の成立（始動口スイッチ１４ａにおける検出）に基づいて各々が識別可能な複数種類の識別情報（図柄）の可変表示（変動）を行い表示結果（停止図柄）を導出表示する可変表示装置（可変表示装置９）を含み、前記始動条件の成立後、可変表示の開始条件の成立（図柄の変動が行われておらず、且つ大当り遊技状態でもない状態となること）に基づいて前記複数種類の識別情報を可変表示させた後に表示結果を導出表示させて当該可変表示の表示結果が特定表示結果（大当り図柄）となったとき遊技者にとって有利な特定遊技状態（大当り遊技状態）に制御する遊技機（パチンコ遊技機１）において、前記識別情報を含むデータを記憶するデータ記憶手段（キャラクタＲＯＭ）と、該データ記憶手段に記憶されたデータを用いて前記可変表示装置を表示制御する表示制御手段（図柄制御基板に搭載されたＣＰＵ）と、前記可変表示に関わる決定に用いられ、所定の数値範囲内（０〜３１６）で数値データ（大当り判定用乱数の生成カウンタから抽出したカウント値）を更新する数値データ更新手段（大当り判定用乱数の生成カウンタ）と、前記始動条件の成立時に前記数値データ更新手段から数値データを抽出し、該抽出された数値データを当該始動条件に対応して抽出順番が特定可能に記憶すると共に、前記数値データのうち未だ前記開始条件が成立していない始動条件に対応する数値データを予め定めた上限数（例えば２０個）まで記憶する数値データ記憶手段（ＲＡＭ５５の保存領域）と、前記数値データ記憶手段に記憶される数値データが所定の判定値と合致するか否かに基づいて前記特定表示結果を表示するか否かの判定を行う事前判定手段（ステップＳ１２９の大当り判定処理）と、所定の条件が成立したとき、前記数値データ記憶手段に記憶された前記数値データのうち複数個の数値データに対応した可変表示を同時に実行し、前記複数個の数値データに対応した表示結果を前記事前判定手段による判定結果に基づいて導出する表示結果一括導出手段（ステップＳ５３の一括消化設定処理）と、前記数値データ記憶手段に記憶された前記数値データ数を判定する数値データ数判定手段（ステップＳ１１１）と、前記数値データ記憶手段に記憶された数値データに、前記所定の判定値と合致する数値データがあるか否かを判定する数値データ判定手段（ステップＳ１２６からステップＳ１３１のループ処理）と、前記数値データ判定手段の判定結果に関わらず、前記数値データ数判定手段によって前記数値データ数が所定個数以上と判定されたとき、前記表示結果一括導出手段によって導出する数値データの個数を選択する一括導出数選択手段（ステップＳ１２３）と、を含み、前記一括導出数選択手段は、前記表示結果一括導出手段によって導出する数値データに含まれる前記事前判定手段によって特定の表示結果（大当り図柄）を表示する旨の判定がされた数値データを１つ以下とするように選択する機能（ステップＳ１３０で大当りとなったらループ処理を中止する機能）を有し、前記表示結果一括導出手段は、前記一括導出数選択手段によって選択された数値データの個数（乱数値の数すなわち始動記憶数）に基づき、複数個の数値データに対応した表示結果を導出することを特徴とする。
このように構成することにより、複数個の数値データに対応した表示結果を導出する数値データの個数を変化させ、且つ数値データ記憶手段に記憶された数値データの中に特定表示結果となる数値データが含まれる場合にも複数の数値データに対応した表示結果を導出することで、遊技者に特定遊技状態の発生を悟られ難く出来ると共に数値データに基づく可変表示を効率良く実行出来るため、遊技の興趣を向上させることが出来る。
【０００６】
また、請求項２の発明においては、前記データ記憶手段には、前記数値データ記憶手段に記憶された前記数値データの個数を表す表示パターンとして予め定められた複数の数値データ表示パターン（数値データ変動パターン）に対応した複数の数値データ表示データが記憶され、前記複数の数値データ表示パターンは、前記数値データ記憶手段に記憶された前記数値データ数に応じて所定のキャラクタ画像（特別図柄始動記憶数表示用キャラクタ画像１２４）の形態（太り具合若しくは痩せ具合）を変化させる数値データ数表示キャラクタ変化パターンを含み、前記数値データ記憶手段に記憶された数値データの個数を特定可能に表示するメモリ表示制御手段（図柄制御基板８０に搭載されている表示制御用ＣＰＵにより特別図柄始動記憶数表示用キャラクタ画像１２４および特別図柄始動記憶数表示画像１２５を表示制御する機能）をさらに含み、前記メモリ表示制御手段は、前記数値データ表示データを用い、前記数値データ記憶手段に記憶された数値データ数に応じて前記キャラクタ画像の形態を変化させることを特徴とする。
このように構成することにより、数値データ数に関する変動の表現を所定のキャラクタ画像の形態を変化させることによって、数値データ数の演出表示のバリエーションが豊富になり、遊技の興趣を向上させることが出来る。また、複数の数値データに基づく表示結果を導出することにより、数値データ記憶手段に記憶された数値データ数の表現を所定のキャラクタ画像の形態を変化させて表現した場合でも、変化を顕著に表現することが容易となり、遊技者は変化を一目瞭然に認識することが可能となる。その為、演出を遊技者の視覚に効果的に働きかけることが可能となる。
【０００７】
また、請求項３の発明においては、前記表示結果一括導出手段によって数値データに対応した表示結果を導出するとき、前記表示制御手段は、すべての数値データに対応する表示結果を個々に導出表示する（例えば、図８（Ｅ）で示すように、「一括消化する始動記憶数（表示結果を導出する複数の数値データの個数）」である４に対応して、特別図柄第１可変表示部１２０には「７５６」、特別図柄第２可変表示部１２１には「１１０」、特別図柄第３可変表示部１２２には「３１２」、および特別図柄第４可変表示部１２３には「７４５」、が停止図柄として確定表示される）ことを特徴とする。
このように構成することにより、個々の数値データに基づく表示結果を遊技者は確認できることにより、複数の数値データに基づく表示結果を導出する際でも、特定表示結果となる数値データが無効になってはいないか、という疑念を抱く余地がなくなる。
【０００８】
また、請求項４の発明においては、前記表示結果一括導出手段によって数値データに対応した表示結果を導出するとき、前記表示制御手段は、複数の表示結果の導出表示タイミングを異ならせて導出表示する（例えば、図９（Ａ）〜（Ｄ）において最初に特別図柄第１可変表示部１２０と特別図柄第２可変表示部１２１、次に特別図柄第３可変表示部１２２、最後に特別図柄第４可変表示部１２３の順に停止図柄が確定表示される）機能を含むことを特徴とする。
このように構成することにより、複数の表示結果の導出タイミングが不一致となることで互いに前後する為、遊技者の表示結果に対する興味をより長く惹きつけておくことが可能となり、遊技の興趣を持続させることが出来る。
【０００９】
また、請求項５の発明においては、前記一括導出数選択手段は、前記数値データ数判定手段によって前記数値データ記憶手段に記憶された前記数値データの個数が所定の基準値（例えば１０個）以上と判定されたとき前記表示結果一括導出手段によって導出する数値データの個数を前記数値データ数判定手段によって前記数値データ記憶手段に記憶された前記数値データの個数が前記所定の基準値より少ないと判定されたとき前記表示結果一括導出手段によって導出する数値データの個数より、多い数値データの個数を選択される割合が高くなるように前記一括導出数選択手段が選択を行うときに用いる選択データを構成した一括導出数選択テーブル（図７）を用いて選択することを特徴とする。
このように構成することにより、数値データ記憶手段に記憶された数値データの数が多いほど、多くの数値データに基づく表示結果を導出出来るため数値データに基づく表示結果を効率良く導出出来る。これにより遊技機の稼働率が高くなり、遊技の興趣を向上させることが出来る。
【００１０】
さらに、請求項６の発明においては、前記表示結果一括導出手段によって数値データをまとめて導出したとき、前記表示制御手段はまとめて導出した数値データの個数（例えば、図８（Ｂ）に示す特別図柄始動記憶数表示画像１２５の「１５→１１」において、１５と１１の差である４）を報知する機能を有することを特徴とする。
このように構成することにより、報知された数値データ数によって、遊技者は導出された数値データ数を確認できることにより、複数の数値データに基づく表示結果を導出する際でも、特定表示結果となる可能性を有する数値データが無効になってはいないか、という疑念を抱く余地がなくなる。また、遊技者はいくつの数値データに基づく表示結果が導出されるのかを一目瞭然に認識することが出来る。
【００１１】
【発明の実施の形態】
以下、本発明の一実施形態を図面を参照して説明する。まず、遊技機の一例である第１種パチンコ遊技機の全体の構成について説明する。図１はパチンコ遊技機（遊技機）１を正面からみた正面図である。
【００１２】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられる額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。
【００１３】
図１に示すように、ガラス扉枠２の下方には打球供給皿（上皿）３がある。打球供給皿３の下方には、打球供給皿３に収容しきれない遊技球を貯留する余剰球受皿４と打球を発射する打球操作ハンドル（操作ノブ）５が設けられている。ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されており、本実施形態における遊技は遊技領域７に遊技球を発射することにより行われる。
【００１４】
遊技領域７の中央付近には、ほぼ長円形状に形成された装飾部材１１０が設けられている。装飾部材１１０には、それぞれが識別情報として識別可能な図柄を可変表示する特別図柄可変表示部８を備えた可変表示装置９が設けられている。可変表示装置９には、特別図柄の変動を行って、停止図柄を導出表示する図柄表示部「左」８ａ、図柄表示部「中」８ｂ、図柄表示部「右」８ｃが、ほぼ横並びに設けられている（図８（Ａ）参照）。なお、図１に示すように、本発明は複数の始動記憶（数値データ）を一括して消化（実行）するため、一括して消化する始動記憶の数（数値データの個数）に従い、導出表示される表示結果の数は異なる。つまり、この場合は４個の始動記憶に基づく表示結果を一括して導出表示する際の可変表示装置９における表示態様の一例を示すものである。
【００１５】
なお、本発明において用いる「消化」とは、始動記憶に基づいて可変表示装置９において図柄の可変表示を行い停止図柄を導出表示することである。
【００１６】
なお、可変表示装置９の右側方上部には、後述する始動入賞口１４に入った有効入賞球数すなわち始動記憶数の多寡を人を模したキャラクタ画像の太り具合（痩せ具合）によりアナログ的に表示する特別図柄始動記憶数表示用キャラクタ画像１２４と、現時点における始動記憶数および始動記憶数の変動状況を報知する特別図柄始動記憶数表示画像１２５が表示される。
【００１７】
特別図柄始動記憶数表示画像１２５は、有効始動入賞（本実施形態では始動記憶数が２０未満のときの始動入賞）がある毎に、表示する数値を１増やす。そして、可変表示装置９における図柄の変動が、開始される毎に、表示している数値を１減らす。
【００１８】
特別図柄始動記憶数表示用キャラクタ画像１２４は、上記した特別図柄始動記憶数表示画像１２５の数値の増減に伴いアナログ的にキャラクタ画像の太り具合（痩せ具合）を変化させる。例えば、キャラクタ画像は、始動記憶数が増加すれば太り、減少すれば痩せるように表示される。
【００１９】
上記した機能を有する可変表示装置９は、後述する始動口スイッチ１４ａにおける検出の後、可変表示の開始条件の成立に基づいて、各々が識別可能な複数種類の識別情報としての図柄の変動（可変表示）を行って停止図柄（表示結果）を導出表示する可変表示装置である。
【００２０】
当該可変表示装置９は、ＣＲＴ表示装置により構成される。但し、可変表示装置９はＣＲＴに限らず、ＬＣＤ、ＦＥＤ、ＰＤＰ、ＥＬ、ＬＥＤ等いずれの画像表示器から構成してもよい。
【００２１】
本実施形態においては、後述する事前判定手段が可変表示装置９に特別図柄の０〜９の数字が３つ揃った特定表示結果を導出表示すると決定した場合（本実施形態の場合、一括消化設定処理によって導出表示される複数の表示結果の中に特別図柄の０〜９の数字が３つ揃った特定表示結果が含まれる場合）、当該表示後に遊技者に有利な大当り（特定遊技状態）となるように制御され、可変表示装置９に導出表示する３つの特別図柄の０〜９の数字が揃わないと決定した場合（本実施形態の場合、一括消化設定処理によって導出表示される複数の表示結果の中に特別図柄の０〜９の数字が３つ揃った特定表示結果が含まれない場合）、ハズレとなるように制御される。また、事前判定手段が、可変表示装置９に導出表示すると決定した特別図柄が、０〜９の特定表示結果のうちの奇数で揃った場合、大当り終了後に確変状態に制御され、同じく可変表示装置９に導出表示すると決定した特別図柄が０〜９の特定表示結果のうちの０及び偶数で揃った場合、大当り終了後に通常遊技状態に制御される。なお、確変状態とは、大当り（特定遊技状態）となる確率が通常遊技状態時より高いと共に、可変表示装置９における可変表示の可変表示時間が通常遊技状態時より短い状態である。
【００２２】
装飾部材１１０の上部には、ＬＥＤにより構成された普通図柄表示器１０が設けられている。この普通図柄表示器１０は、普通図柄と呼ばれる複数種類の識別情報を可変表示可能なものである。
【００２３】
装飾部材１１０の下方には、前述した始動入賞口１４が設けられている。始動入賞口１４に入った入賞球は、遊技盤６の背面に導かれ、始動口スイッチ１４ａによって検出される。また、始動入賞口１４の下方には開閉動作を行う可変入賞球装置１５が設けられている。可変入賞球装置１５は、ソレノイド１６によって開状態とされる。
【００２４】
さらに可変入賞球装置１５の下方には、特定遊技状態（大当り遊技状態）においてソレノイド２１によって開状態とされる開閉板２０が設けられている。開閉板２０は大入賞口４２を開閉する手段である。開閉板２０から遊技盤６の背面に導かれた入賞球のうち一方（Ｖ入賞領域）に入った入賞球はＶ入賞スイッチ２２で検出され、開閉板２０からの入賞球はカウントスイッチ２３で検出される。遊技盤６の背面には、大入賞口４２内の経路を切り換えるためのソレノイド２１Ａ（図２に符号のみを記載）も設けられている。
【００２５】
可変入賞球装置１５の左側方に設けられたゲート３２に遊技球が入賞しゲートスイッチ３２ａで検出されると、普通図柄始動記憶が上限に達していなければ、所定の乱数値が抽出される。そして、普通図柄表示器１０において表示状態が変化する可変表示を開始できる状態であれば、普通図柄表示器１０の表示の可変表示が開始される。普通図柄表示器１０において表示状態が変化する可変表示を開始できる状態でなければ、普通図柄始動記憶の値が１増やされる。
【００２６】
普通図柄表示器１０の近傍には、普通図柄始動記憶数を表示する４つのＬＥＤによる表示部を有する普通図柄始動記憶表示器４１（図２に符号のみを記載）が設けられている。上記したゲート３２への入賞がある毎に、普通図柄始動記憶表示器４１は点灯するＬＥＤを１増やす。そして、普通図柄表示器１０の可変表示が開始される毎に、点灯するＬＥＤを１減らす。
【００２７】
本実施形態の普通図柄表示器１０では、左右のランプ（点灯時に図柄が視認可能になる）が交互に点灯することによって普通図柄の可変表示が行われ、可変表示は所定時間（例えば２９．２秒）継続する。そして、可変表示の終了時に左側のランプが点灯すれば当りとなる。当りとするか否かは、ゲート３２に遊技球が入賞したときに抽出された乱数の値が所定の当り判定値と一致したか否かによって決定される。普通図柄表示器１０における可変表示の表示結果が当りである場合に、可変入賞球装置１５が所定回数、所定時間だけ開状態になって遊技球が入賞しやすい状態になる。すなわち、可変入賞球装置１５の状態は、普通図柄の停止図柄が当り図柄である場合に、遊技者にとって不利な状態から有利な状態に変化する。
【００２８】
さらに、特別遊技状態としての確変状態では、普通図柄表示器１０における停止図柄が当り図柄になる確率が高められるとともに、可変入賞球装置１５の開放時間と開放回数とのうちの一方または双方が高められ、遊技者にとってさらに有利になる。また、確変状態等の所定の状態では、普通図柄表示器１０における可変表示期間（変動時間）が短縮されることによって、遊技者にとってさらに有利になるようにしてもよい。
【００２９】
なお、特定遊技状態とは、所定の遊技価値が付与された遊技者にとって有利な状態を意味する。例えば大入賞口４２の状態が遊技球の入賞し易い、すなわち遊技者にとって有利な状態（大当り遊技状態）、遊技者にとって有利な状態となる為の権利が発生した状態、景品遊技媒体払い出しの条件が成立し易くなる状態などの、所定の遊技価値が付与された状態である。
【００３０】
パチンコ遊技機１では、上記したように特別図柄（識別情報）を表示する可変表示装置９における表示結果が、予め定められた特定の表示結果となることを、通常、「大当り」という。大当りが発生すると、例えば、大入賞口４２が所定回数開放して遊技球が入賞し易い大当り遊技状態に移行する。そして、各開放期間において、所定個数（例えば１０個）の大入賞口４２への入賞があると大入賞口４２は閉成する。そして、大入賞口４２の開放回数は、所定回数（例えば１５ラウンド）に固定されている。なお、各開放について開放時間（例えば２９．５秒）が決められ、入賞回数が所定個数に達しなくても開放時間が経過すると大入賞口４２は閉成する。また、大入賞口４２が閉成した時点で所定の条件（例えば、大入賞口４２内に設けられているＶゾーンへの入賞）が成立していない場合には、大当り遊技状態は終了する。
【００３１】
なお、リーチとは、停止した図柄（リーチ図柄）が大当り図柄の一部を構成しているときに未だ停止していない図柄（リーチ変動図柄）については変動表示が行われていること、全てまたは一部の図柄が大当り図柄の全てまたは一部を構成しながら同期して変動している状態である。
【００３２】
具体的には、予め定められた複数の表示領域に、予め定められた図柄が停止することで大当りとなる有効ラインが定められ、その有効ライン上の一部の表示領域に予め定められた図柄が停止しているときに未だ停止していない有効ライン上の表示領域において変動表示が行われている状態（例えば左、中、右の表示領域のうち左、中の表示領域には大当り図柄の一部となる（例えば「７」）が停止表示されている状態で右の表示領域は未だ変動表示が行われている状態）、有効ライン上の表示領域の全てまたは一部の図柄が大当り図柄の全てまたは一部を構成しながら同期して変動表示している状態（例えば左、中、右の表示領域の全てに変動表示が行われてどの状態が表示されても同一の図柄が揃っている状態で変動表示が行われている状態）である。
【００３３】
また、リーチの際に、通常と異なる演出がランプや音で行われることがある。この演出をリーチ演出という。
【００３４】
またリーチの際に、キャラクタ（人物等を模した演出表示であり、図柄とは異なるもの）を表示させたり、背景の表示態様を変化させたりすることがある。このキャラクタの表示や背景の表示態様の変化をリーチ演出表示という。
【００３５】
遊技盤６には、複数の入賞口２９，３０，３３，３４、３９が設けられ、遊技球の入賞口２９，３０，３３、３４、３９への入賞は、それぞれ入賞口スイッチ２９ａ，３０ａ，３３ａ，３４ａ，３９ａによって検出される。遊技領域７の左右両側部には、遊技中に点滅表示される飾りランプ２５が設けられ、下部には、入賞しなかった打球を吸収するアウト口２６がある。また、遊技領域７の外側の左右上部には、効果音や音声を発する２つのスピーカ２７が設けられている。遊技領域７の上方には天枠ランプ２８ａ、左側方には左枠ランプ２８ｂ、および右側方には右枠ランプ２８ｃが設けられている。
【００３６】
そして、この例では、左枠ランプ２８ｂの近傍に、賞球残数があるときに点灯する賞球ランプ５１が設けられ、右枠ランプ２８ｃの近傍に、補給球が切れたときに点灯する球切れランプ５２が設けられている。
【００３７】
打球発射装置から発射された遊技球は、打球レールを通って遊技領域７に入り、その後、遊技領域７を下りてくる。打球が始動入賞口１４に入り始動口スイッチ１４ａで検出されると、図柄の可変表示を開始できる状態であれば、可変表示装置９において特別図柄が変動を始める。図柄の変動を開始できる状態でなければ、始動記憶数を１増やす。上記した始動口スイッチ１４ａにおける検出は、所定の始動条件の成立である。
【００３８】
可変表示装置９における特別図柄の可変表示は、一定時間が経過したときに停止する。停止時の特別図柄の組み合わせが大当り図柄となった後に、大当り遊技状態に移行する。この大当り遊技状態においては、開閉板２０が、一定時間経過するまで、または、所定個数（例えば１０個）の打球が入賞するまで開放される。そして、開閉板２０の開放中に打球がＶ入賞領域に入賞しＶ入賞スイッチ２２で検出されると、継続権が発生し開閉板２０の開放が再度行われる。継続権の発生は、所定回数（例えば１５ラウンド）許容される。
【００３９】
すなわち、本実施形態のパチンコ遊技機（遊技機）１は、上記した始動口スイッチ１４ａにおける検出の後、可変表示装置９における変動が実行中でない、若しくは実行中の変動が停止したこと（可変表示の開始条件の成立）に基づいて複数種類の図柄を変動させた後に表示結果を導出表示させて、大当り図柄（特定表示結果）となったときに遊技者にとって有利な大当り遊技状態（特定遊技状態）に制御するものである。
【００４０】
停止時の可変表示装置９における特別図柄の組み合わせが確率変動を伴う大当り図柄（確変図柄）の組み合わせである場合には、次に大当りとなる確率が高くなる。すなわち、確変状態という遊技者にとってさらに有利な状態となる。
【００４１】
確変遊技状態とは可変表示装置９における変動の変動時間が通常遊技状態時より短いとともに大当り遊技状態となる割合が通常遊技状態時よりも高い遊技者にとって有利な遊技状態である。
【００４２】
図２は、本発明に係る遊技制御手段となる主基板３１における回路構成の一例を示すブロック図である。なお、図２には、払出制御基板３７、ランプ制御基板３５、音制御基板７０、発射制御基板９１および図柄制御基板８０も示されている。主基板３１には、プログラムに従ってパチンコ遊技機１を制御する基本回路５３と、ゲートスイッチ３２ａ、始動口スイッチ１４ａ、Ｖ入賞スイッチ２２、カウントスイッチ２３、入賞口スイッチ２９ａ，３０ａ，３３ａ，３４ａ、３９ａ、満タンスイッチ４８、球切れスイッチ１８７、賞球カウントスイッチ３０１Ａおよびクリアスイッチ９２１からの信号を基本回路５３に与えるスイッチ回路５８と、可変入賞球装置１５を開閉するソレノイド１６、開閉板２０を開閉するソレノイド２１および大入賞口４２内の経路を切り換えるためのソレノイド２１Ａを基本回路５３からの指令に従って駆動するソレノイド回路５９とが搭載されている。
【００４３】
なお、図２には示されていないが、カウントスイッチ短絡信号もスイッチ回路５８を介して基本回路５３に伝達される。また、ゲートスイッチ３２ａ、始動口スイッチ１４ａ、Ｖ入賞スイッチ２２、カウントスイッチ２３、入賞口スイッチ２９ａ，３０ａ，３３ａ，３４ａ、３９ａ、満タンスイッチ４８、球切れスイッチ１８７、賞球カウントスイッチ３０１Ａ等のスイッチは、センサと称されているものでもよい。すなわち、遊技球を検出できる遊技媒体検出手段（この例では遊技球検出手段）であれば、その名称を問わない。スイッチと称されているものがセンサと称されているもの等でもよいこと、すなわち、スイッチが遊技媒体検出手段の一例であることは、他の実施形態でも同様である。
【００４４】
また、基本回路５３から与えられるデータに従って、大当りの発生を示す大当り情報、可変表示装置９における図柄の可変表示開始に利用された始動入賞球の個数を示す有効始動情報、確率変動が生じたことを示す確変情報等の情報出力信号をホールコンピュータ等の外部装置に対して出力する情報出力回路６４が搭載されている。
【００４５】
基本回路５３は、ゲーム制御用のプログラム等を記憶するＲＯＭ５４、ワークメモリとして使用される記憶手段（変動データ、始動記憶数、所定条件の成立数、等を記憶する手段）としてのＲＡＭ５５、プログラムに従って制御動作を行うＣＰＵ５６およびＩ／Ｏポート部５７を含む。本実施形態では、ＲＯＭ５４，ＲＡＭ５５はＣＰＵ５６に内蔵されている。すなわち、ＣＰＵ５６は、１チップマイクロコンピュータである。なお、１チップマイクロコンピュータは、少なくともＲＡＭ５５が内蔵されていればよく、ＲＯＭ５４およびＩ／Ｏポート部５７は外付けであっても内蔵されていてもよい。なお、ＣＰＵ５６はＲＯＭ５４に格納されているプログラムに従って制御を実行するので、以下、ＣＰＵ５６が実行する（または、処理を行う）ということは、具体的には、ＣＰＵ５６がプログラムに従って制御を実行することである。このことは、主基板３１以外の他の基板に搭載されているＣＰＵについても同様である。
【００４６】
さらに、ＲＡＭ（ＣＰＵ内蔵ＲＡＭであってもよい。）５５の一部または全部は、電源基板（図示しない）において作成されるバックアップ電源によってバックアップされているバックアップＲＡＭである。すなわち、遊技機に対する電力供給が停止しても、所定期間は、ＲＡＭ５５の一部または全部の内容は保存される。
【００４７】
遊技球を打撃して発射する打球発射装置は発射制御基板９１上の回路によって制御される駆動モータ９４で駆動される。そして、駆動モータ９４の駆動力は、操作ノブ５の操作量に従って調整される。すなわち、発射制御基板９１上の回路によって、操作ノブ５の操作量に応じた速度で打球が発射されるように制御される。
【００４８】
本実施形態では、ランプ制御基板３５に搭載されているランプ制御手段が、遊技盤に設けられている普通図柄始動記憶表示器４１、および飾りランプ２５の表示制御を行うとともに、枠側に設けられている天枠ランプ２８ａ、左枠ランプ２８ｂ、右枠ランプ２８ｃ、賞球ランプ５１、球切れランプ５２、の表示制御を行う。
【００４９】
なお、各ランプはＬＥＤその他の種類の発光体でもよく、本実施形態および他の実施形態で用いられているＬＥＤも他の種類の発光体でもよい。すなわち、ランプやＬＥＤは発光体の一例である。
【００５０】
また、特別図柄を可変表示する可変表示装置９、並びに普通図柄を可変表示する普通図柄表示器１０の表示制御は、図柄制御基板８０に搭載されている表示制御用ＣＰＵ（図示しない）によって行われる。
【００５１】
すなわち、図柄制御基板８０に搭載されている表示制御用ＣＰＵは、後述する事前判定手段による決定に基づいて、後述するキャラクタＲＯＭ（データ記憶手段）に記憶されたデータを用いて可変表示装置（可変表示装置）９を表示制御する表示制御手段である。
【００５２】
図柄制御基板８０に搭載されている表示制御用ＣＰＵは、同じく図柄制御基板８０に搭載されている制御データＲＯＭ（図示しない）に格納されたプログラムに従って動作し、主基板３１からＩＮＴ信号が入力されると、入力バッファ回路（図示しない）を介して表示制御コマンドを受信する。
【００５３】
そして、表示制御用ＣＰＵは、受信した表示制御コマンドに従って、可変表示装置９に表示される画像の表示制御を行う。具体的には、表示制御コマンドに応じた指令をＶＤＰ（図示しない）に与える。ＶＤＰは、キャラクタＲＯＭ（図示しない）から必要なデータを読み出す。ＶＤＰは、入力したデータに従って可変表示装置９に表示するための画像データを生成し、Ｒ，Ｇ，Ｂ信号および同期信号を可変表示装置９に出力する。
【００５４】
上記したキャラクタＲＯＭの画像テーブルには、キャラクタ、背景、表示図柄に関するデータが格納されている。つまり、キャラクタＲＯＭは、図柄（識別情報）及び後述する特別図柄始動記憶数表示用キャラクタ画像１２４等を含むデータを記憶するデータ記憶手段である。
【００５５】
また、図柄制御基板８０のキャラクタＲＯＭ（データ記憶手段）には、ＲＡＭ（数値データ記憶手段）５５に記憶された乱数値（数値データ）の個数を表す変動パターン（表示パターン）として予め定められた複数の数値データ表示パターンに対応した複数の数値データ表示データが記憶される。
【００５６】
上記した複数の数値データ表示パターンは、ＲＡＭ（数値データ記憶手段）５５に記憶された乱数値の数（数値データ数）に応じて、特別図柄始動記憶数表示用キャラクタ画像（所定のキャラクタ画像）１２４の太り具合や痩せ具合（形態）を変化させる数値データ数表示キャラクタ変化パターンを含む。
【００５７】
また、上記した図柄制御基板８０に搭載されている表示制御用ＣＰＵは、ＲＡＭ（数値データ記憶手段）５５に記憶された数値データの個数を特定可能に表示するメモリ表示制御手段であって、数値データ表示データを用い、ＲＡＭ（数値データ記憶手段）５５に記憶された数値データ数に応じて特別図柄始動記憶数表示用キャラクタ画像（所定のキャラクタ画像）１２４の太り具合や痩せ具合（形態）を変化させる。
【００５８】
各制御手段は遊技機に設けられている電気部品の制御を行うので、以下、各制御手段を電気部品制御手段といい、電気部品制御手段が搭載された基板を電気部品制御基板ということがある。電気部品とは、遊技機に設けられている部品（機構部品や回路等）であって電気的に動作するものである。電気部品制御手段として、例えば、電気部品としての球払出装置を制御する払出制御手段、電気部品としての演出用の可変表示部の制御を行う表示制御手段、電気部品としての演出制御用の発光体（ランプやＬＥＤ）の制御を行うランプ制御手段、電気部品としての演出用のスピーカからの音発生の制御を行う音制御手段がある。また、演出用の電気部品を制御する表示制御手段、ランプ制御手段、音制御手段等を演出制御手段ということがある。
【００５９】
なお、図２で示したように本実施形態は、主基板３１から各制御基板に対してそれぞれ個別に送信される制御コマンドに基づいて制御が行われる。すなわち、主基板３１から、音制御基板７０、ランプ制御基板３５、さらに図柄制御基板８０に対してそれぞれに固有の制御コマンドが送信されることにより制御されるものである。しかし、このような方法に限らず、例えば主基板３１と、上記した各制御基板との間に演出制御基板を１つ設け、主基板３１は当該演出制御基板にのみ単一の制御信号を送信し、当該演出制御基板は主基板３１から受信した制御信号に基づいて上記した各制御基板ごとに生成した制御信号を各制御基板に送信するようにしても良い。また、主基板３１から先ずは図柄制御基板８０に対してのみ制御コマンドが送信され、当該制御コマンドを受信した図柄制御基板８０からそれぞれ音制御基板７０、及びランプ制御基板３５に制御コマンドを送信するようにしても良い。このように構成することによって、各制御基板に対する制御が単一の制御信号に基づいて行なわれるので、一貫した演出が容易となる。また、主基板３１は演出に関する大きな方向を示す決定のみを行い、演出に関する細かな具体的事項については、各制御基板がそれぞれ個別に決定することが可能となる。したがって、主基板３１の制御上の負担が軽減される。
【００６０】
以上のように構成されたパチンコ遊技機１の動作について以下に説明する。パチンコ遊技機１に対して電源が投入されると、主基板３１のＣＰＵ５６は、メイン処理を実行する（図示しない）。メイン処理においてＣＰＵ５６は、先ず必要な初期設定をするための初期化処理を完了させると、割込禁止状態とした後、表示用乱数及び初期値用乱数の更新処理を実行し、続いて割込許可状態とした後、最初に割込禁止状態としたステップに移行することでループ処理が実行される。
【００６１】
本実施形態は、上記したループ処理中において、２ｍＳ毎にタイマ割込処理が実行されるように設定されている。ＣＰＵ５６は、該タイマ割込処理において、遊技制御に用いられる大当り判定用乱数等の各判定用乱数を生成するための各カウンタのカウント値を更新する処理を行う。ＣＰＵ５６は、さらに初期値決定用乱数を生成する為のカウンタのカウント値を更新する処理及び表示用乱数を生成する為のカウンタのカウント値を更新する処理を行う。
【００６２】
つまり、本実施形態は、可変表示装置９における可変表示に関わる決定に用いられ、所定の数値範囲で数値データとしての乱数値（例えば、大当り判定用乱数、リーチ判定用乱数、等）を更新する数値データ更新手段を備えている。数値データ更新手段は、ＣＰＵ５６が実行するメイン処理および２ｍＳごとに実行されるタイマ割込処理にて数値データを更新する。具体的には、乱数（例えば、大当り判定用乱数）を生成する為のカウンタ（例えば、大当り判定用乱数カウンタ）のカウントアップ（１加算）を行う。
【００６３】
ＣＰＵ５６は、上記したタイマ割込処理の中の、続いて実行される特別図柄プロセス処理において、遊技状態に応じてパチンコ遊技機１を所定の順序で制御する。具体的には特別図柄プロセスフラグに従って該当する処理が選択され、選択された処理を順次実行していく。以下、特別図柄プロセス処理について図３を参照して説明する。
【００６４】
図３は、ＣＰＵ５６が実行する特別図柄プロセス処理のプログラムの一例を示すフローチャートである。ＣＰＵ５６は、特別図柄プロセス処理を行う際に、変動短縮タイマ減算処理を行い（ステップＳ３１０）、上記した始動口スイッチ１４ａにおける検出の有無の判定が行われ（ステップＳ３１１）、検出が行われたことによってスイッチがＯＮ状態になっていたら、始動口スイッチ通過処理が実行され（ステップＳ３１２）、続いて内部状態に応じてステップＳ３００〜ステップＳ３０８のうちの何れかの処理を行う。
【００６５】
特別図柄通常処理（ステップＳ３００）では、特別図柄の可変表示を開始できる状態となるまで待機する。特別図柄の可変表示が開始できる状態になると、始動記憶数を確認する。始動記憶数が０でなければ、消化する始動記憶数を決定し、特別図柄の可変表示の結果、大当りとするか否かを決定し、内部状態（特別図柄プロセスフラグ）をステップＳ３０１に移行するように更新する。
【００６６】
特別図柄停止図柄設定処理（ステップＳ３０１）では、特別図柄の変動後の左中右図柄の停止図柄を決定する。複数の始動記憶を一括して消化する場合は、一括して消化する全ての始動記憶に対応して各停止図柄を決定する。そして、内部状態（特別図柄プロセスフラグ）をステップＳ３０２に移行するように更新する。
【００６７】
変動パターン設定処理（ステップＳ３０２）では、特別図柄の変動の変動パターンを、後述する変動パターン決定用乱数の値に応じて決定すると共に、変動時間タイマをスタートさせる。このとき、図柄制御基板８０に対して、左中右の最終停止図柄と変動パターン（変動態様）を指令する情報とが送信される。
【００６８】
なお、複数の始動記憶を一括して消化する場合でも、変動パターンを１つだけ指定する情報が図柄制御基板８０に対して送信される。この際に送信される変動パターンは、一括消化数および該一括消化する始動記憶の中に大当りとなる始動記憶が含まれるか否か、によって異なった変動パターンコマンドにする。また、図柄制御基板８０に対しては、上記した変動パターン指定の表示制御コマンドと併せて、一括消化する始動記憶数を指定する一括消化数指定の表示制御コマンドと、一括して消化する全ての始動記憶に対応した左中右の各最終停止図柄指定の表示制御コマンドが、送信される。そして、内部状態（特別図柄プロセスフラグ）をステップＳ３０３に移行するように更新する。
【００６９】
特別図柄変動処理（ステップＳ３０３）では、上記したステップＳ３０２においてスタートした変動時間タイマが示す所定の時間が経過すると、内部状態（特別図柄プロセスフラグ）をステップＳ３０４に移行するように更新する。
【００７０】
特別図柄停止処理（ステップＳ３０４）では、可変表示装置９において表示される全図柄が停止されるように制御する。具体的には、特別図柄停止を示す演出制御コマンドが送信される状態に設定する。そして、停止図柄の組合せが大当り図柄となる場合には、内部状態（特別図柄プロセスフラグ）をステップＳ３０５に移行するように更新する。停止図柄の組合せが大当り図柄とならない場合には、内部状態（特別図柄プロセスフラグ）をステップＳ３００に移行するように更新する。
【００７１】
また、複数の始動記憶を一括して消化する際においても、全ての特別図柄停止を示す演出制御コマンドが１回だけ送信される状態に設定する。そして、一括消化する始動記憶の中に停止図柄の組合せが大当り図柄となる始動記憶が含まれる場合には、内部状態（特別図柄プロセスフラグ）をステップＳ３０５に移行するように更新する。一括消化する始動記憶の中に停止図柄の組合せが大当り図柄となる始動記憶が含まれない場合には、内部状態（特別図柄プロセスフラグ）をステップＳ３００に移行するように更新する。
【００７２】
大入賞口開放前処理（ステップＳ３０５）では、大入賞口を開放する制御を開始する。具体的には、カウンタやフラグを初期化すると共に、ソレノイド２１を駆動して大入賞口を開放する。また、プロセスタイマによって大入賞口開放中処理の実行時間を設定し、大当り中フラグをセットする。そして、内部状態（特別図柄プロセスフラグ）をステップＳ３０６に移行するように更新する。
【００７３】
大入賞口開放中処理（ステップＳ３０６）では、大入賞口ラウンド表示の演出制御コマンドを図柄制御基板８０に送出する制御及び大入賞口の閉成条件の成立を確認する処理等を行う。最後の大入賞口の閉成条件が成立したら、内部状態（特別図柄プロセスフラグ）をステップＳ３０７に移行するように更新する。
【００７４】
特定領域有効時間処理（ステップＳ３０７）では、Ｖ入賞スイッチ２２の検出の有無を監視して、大当り遊技状態に関する継続条件の成立を確認する処理を行う。大当り遊技状態に関する継続条件が成立し、且つ、残りラウンドがある場合には、内部状態（特別図柄プロセスフラグ）をステップＳ３０５に移行するように更新する。また、所定の有効時間内に大当り遊技状態に関する継続条件が成立しなかった場合には、内部状態（特別図柄プロセスフラグ）をステップＳ３０８に移行するように更新する。
【００７５】
大当り終了処理（ステップＳ３０８）では、大当り遊技状態が終了したことを遊技者に報知する表示制御を表示制御手段に行わせるための制御を行う。そして、内部状態（特別図柄プロセスフラグ）をステップＳ３００に移行するように更新する。
【００７６】
図４は、上記した特別図柄プロセス処理における、ステップＳ３１２の始動口スイッチ通過処理の一例を示すフローチャートである。
【００７７】
始動口スイッチ通過処理において、ＣＰＵ５６は、始動記憶数が最大値である２０に達しているか否かの判定を行う（ステップＳ１１１）。
【００７８】
すなわち、ステップＳ１１１は、後述するＲＡＭ５５の特別図柄判定用バッファ（数値データ記憶手段）に記憶される乱数値の数（数値データ数）を判定する数値データ数判定手段である。
【００７９】
ステップＳ１１１の判定の結果、２０に達していない場合、始動記憶カウンタの値に１加算し（ステップＳ１１２）、大当り判定用乱数、はずれ図柄決定用乱数、大当り図柄決定用乱数、変動パターン決定用乱数、リーチ判定用乱数、等の各乱数の値を抽出し、それらの値を始動記憶数の値に対応したＲＡＭ５５の保存領域（特別図柄判定用バッファ）に格納する（ステップＳ１１３）。
【００８０】
すなわち、ＲＡＭ５５の保存領域（特別図柄判定用バッファ）は、始動口スイッチ１４ａにおける検出（始動条件の成立）時に後述する大当り判定用乱数を生成するカウンタ（数値データ更新手段）から乱数値（数値データ）を抽出し、該抽出された乱数値を当該始動口スイッチ１４ａにおける検出に対応して抽出順番が特定可能に記憶すると共に、乱数値のうち未だ前記開始条件が成立していない始動条件に対応する乱数値を２０（予め定めた上限数）まで記憶する数値データ記憶手段である。
【００８１】
そして、特別図柄の変動時間を短縮するか否かの判定を行うための変動時間短縮判定時間をセットする（ステップＳ１１４）。
【００８２】
図５は、上記した特別図柄プロセス処理における、ステップＳ３００の特別図柄通常処理の一例を示すフローチャートである。
【００８３】
特別図柄通常処理において、ＣＰＵ５６は、現時点において特別図柄の変動を開始できる状態にあるか否かの判定を行う（ステップＳ５１）。つまり、内部状態（特別図柄プロセスフラグの値）がステップＳ３００を示しているか否かを確認する。そして、ステップＳ５１において特別図柄の変動を開始できる状態にある場合、次に始動記憶数の値が０であるか否かの判定を行う（ステップＳ５２）。具体的には始動入賞カウンタのカウンタ値が０であるか否かを判定する。
【００８４】
ステップＳ５２において始動記憶数の値が０でないと判定された場合、次に本実施形態の要部である一括消化設定処理（ステップＳ５３）を行う。複数の始動記憶に基づく特別図柄の変動を同時に実行することによって複数の始動記憶を一括して消化する当該一括消化設定処理については後に詳述する。ステップＳ５３において一括消化設定処理が完了すると、続いて始動記憶数から検査回数カウンタのカウント値（Ｋ）を減算して、保存領域の内容をシフトする（ステップＳ５４）。つまり、ステップＳ５３の一括消化設定処理で設定された始動記憶数に対応した保存領域の対象範囲だけシフトする。そして、特別図柄プロセスフラグの値を特別図柄停止図柄設定処理に対応した値に更新する（ステップＳ５５）。
【００８５】
図６は、上記した特別図柄通常処理における、ステップＳ５３の一括消化設定処理の一例を示すフローチャートである。
【００８６】
一括消化設定処理において、ＣＰＵ５６は、一括消化判定用乱数生成カウンタのカウント値を読み出すことで一括消化判定用乱数を抽出する（ステップＳ１２１）。次いで、始動記憶カウンタのカウント値、すなわち現時点における始動記憶数に基づいて、後述する一括消化判定テーブル（図７参照）を選択する（ステップＳ１２２）。ステップＳ１２２で選択された一括消化判定テーブルに基づいて消化する始動記憶数を決定する（ステップＳ１２３）。消化する始動記憶数が決定されると、次にその値を処理数として設定し（ステップＳ１２４）、さらに上記した検査回数カウンタ（Ｋ）の値を初期値である０に設定する（ステップＳ１２５）。なお、検査回数カウンタ（Ｋ）は、後述するステップＳ１２６からステップＳ１３１のループ処理の繰り返し回数をカウントするためのカウンタである。
【００８７】
次いで、ＣＰＵ５６は、上記した処理数の値から１を減算し（ステップＳ１２６）、検査回数カウンタのカウント値（Ｋ）に１加算した値をカウント値（Ｋ）として設定し（ステップＳ１２７）、当該カウント値（Ｋ）に対応するＲＡＭ５５の保存領域（特別図柄判定用バッファ）に保存されている大当り判定用乱数をロードする（ステップＳ１２８）。
【００８８】
ＣＰＵ５６は、ロードした大当り判定用乱数に基づいて、大当り判定処理を実行する（ステップＳ１２９）。つまりＣＰＵ５６は、先ず現時点における遊技状態が、確変中であるか否かの判定を行い、確変中である場合は、予め設定された大当り判定テーブル中の高確率時のテーブルを使用することを決定し、確変中でない場合は、同じく大当り判定テーブル中の低確率時のテーブルを使用することを決定する。そして、高確率時のテーブルあるいは低確率時のテーブルに設定された大当り判定値の中に、ステップＳ１２８でロードした大当り判定用乱数に一致する大当り判定値があるか否かを判定し、一致する大当り判定値がある場合には大当り遊技状態に制御することが決定され、一致する大当り判定値がない場合には大当り遊技状態に制御されないことが決定される。
【００８９】
すなわち、先ずＣＰＵ５６は、入賞口スイッチ１４ａにおける検出に基づき、図柄の変動（可変表示）に関わる決定に用いられ、０〜３１６の範囲内（所定の数値範囲内）で更新して大当り判定用乱数を生成するカウンタ（数値データ更新手段）から乱数値（数値データ）を抽出し、抽出した乱数を、前述したようにＲＡＭ５５の始動記憶数に対応した保存領域に記憶する。
【００９０】
次に上記保存領域に記憶された乱数を用いて、本実施形態の事前判定手段によりＲＡＭ（数値データ記憶手段）５５に記憶される乱数値（数値データ）が大当り判定値（所定の判定値）と合致するか否かに基づいて、大当り図柄（特定表示結果）を表示するか否かの判定がなされるものである。
【００９１】
次に、ステップＳ１２９の大当り判定処理の結果に基づき、大当り遊技状態とするか否かの判定が行われ（ステップＳ１３０）、判定の結果が大当り遊技状態とする場合には、大当りフラグをセットし（ステップＳ１３２）、現時点における検査回数カウンタのカウント値（Ｋ）を一括消化する始動記憶数に設定する（ステップＳ１３３）。
【００９２】
ステップＳ１３０の判定結果が、大当り遊技状態としない場合には、現時点の処理数が０であるか否かの判定が行われ（ステップＳ１３１）、処理数が０である場合はステップＳ１３３に移行し、また処理数が０でない場合はステップＳ１２６に移行する。つまり、ステップＳ１２３で決定した「消化する始動記憶数」にしたがって、ステップＳ１２６からステップＳ１３１のループ処理が、抽出された順位の早いものから順番に繰り返し実行され、その過程においてステップＳ１２９の大当り判定処理の結果が大当り遊技状態とする、と決定されたとき、又は、全ての「消化する始動記憶数」の中に大当り遊技状態となるものが含まれていない場合、ループ処理を終了するものである。
【００９３】
このことから解るように、ステップＳ１２４において決定した処理数が、ステップＳ１２６からステップＳ１３１のループ処理において減少して仮に残数が有ったとしても、ステップＳ１３０の判定の結果大当りとなれば、残りの始動記憶に対する判定は実行されない。つまり、１回の一括消化設定処理に含まれる大当りとなる始動記憶の数は１個を越えることは無いように制御される。
【００９４】
すなわち、ステップＳ１２３（一括導出数選択手段）は、ステップＳ５３の一括消化設定処理（表示結果一括導出手段）によって導出する乱数値（数値データ）に含まれるステップＳ１２９の大当り判定処理（事前判定手段）によって大当り図柄（特定の表示結果）を表示する旨の判定がされた乱数値を１つ以下とするように選択するステップＳ１３０による機能を有するものである。
【００９５】
つまり、ステップＳ１２６からステップＳ１３１のループ処理は、ＲＡＭ（数値データ記憶手段）５５に記憶される乱数値（数値データ）に、大当り判定値（所定の判定値）と合致する乱数値があるか否かを判定する、本実施形態の数値データ判定手段である。
【００９６】
また、ステップＳ１３３は、上記したステップＳ１２６からステップＳ１３１のループ処理（数値データ判定手段）の判定結果に関わらず、ステップＳ１１１（数値データ数判定手段）によって乱数値（数値データ）が２０（所定数）以上と判定されたとき、ステップＳ５３の一括消化設定処理（表示結果一括導出手段）によって導出する乱数値の数（数値データ数）を選択するステップＳ１２３（一括導出数選択手段）の一機能である。
【００９７】
このように、ステップＳ５３の一括消化設定処理は、所定の条件が成立したとき、ＲＡＭ（数値データ記憶手段）５５に記憶される乱数値（数値データ）のうち複数個の乱数値に対応した変動（可変表示）を同時に実行し、複数個の乱数値に対応した表示結果をステップＳ１２９の大当り判定処理（事前判定手段）による判定結果に基づいて導出する表示結果一括導出手段である。
【００９８】
しかして、ステップＳ５３の一括消化設定処理（表示結果一括導出手段）は、ステップＳ１２３（一括導出数選択手段）によって選択された乱数値の数（数値データ数）に基づき、複数の乱数値に対応した大当りの可否および停止図柄等（表示結果）を導出するものである。
【００９９】
図７は、上記した一括消化設定処理における、ステップＳ１２２で選択される一括消化判定テーブルの一例を示す説明図である。図７（Ａ）は、始動記憶数が１から１０に対応した一括消化判定テーブルの一例を示す説明図であり、図７（Ｂ）は、始動記憶数が１１から２０に対応した一括消化判定テーブルの一例を示す説明図である。
【０１００】
図７（Ａ）または図７（Ｂ）で示すように、２０を上限値とする始動記憶カウンタのカウント値、すなわち始動記憶数（１〜２０）ごとにテーブルが設定されており、各始動記憶数に対応したこれらのテーブルには、消化する始動記憶数（１〜４）ごとに一括消化判定用乱数に対応した０〜１１９の判定値が割り振られている。
【０１０１】
例えば、始動記憶数が１に対応したテーブルが選択されたとき、一括消化判定用乱数の値が０〜１１９の何れであっても、消化する始動記憶数は１が選択される。
【０１０２】
また、始動記憶数が９に対応したテーブルが選択されたとき、一括消化判定用乱数の値が０〜８９の場合、消化する始動記憶数は１が選択され、一括消化判定用乱数の値が９０〜９９の場合、消化する始動記憶数は２が選択され、一括消化判定用乱数の値が１００〜１０９の場合、消化する始動記憶数は３が選択され、一括消化判定用乱数の値が１１０〜１１９の場合、消化する始動記憶数は４が選択される。このとき、消化する各始動記憶数が選択される確率は、１が７５％、２〜４がそれぞれ約８．３％となる。
【０１０３】
また、始動記憶数が１０に対応したテーブルが選択されたとき、一括消化判定用乱数の値が０〜３９の場合、消化する始動記憶数は２が選択され、一括消化判定用乱数の値が４０〜７９の場合、消化する始動記憶数は３が選択され、一括消化判定用乱数の値が８０〜１１９の場合、消化する始動記憶数は４が選択される。このとき、消化する各始動記憶数が選択される確率は、１が０％、２〜４がそれぞれ約３３．３％となる。
【０１０４】
また、始動記憶数が２０に対応したテーブルが選択されたとき、一括消化判定用乱数の値が０〜１１９の何れであっても、消化する始動記憶数は４が選択される。
【０１０５】
本実施形態における一括消化判定用テーブルは、上記したことからもわかるように、始動記憶数の１０を基準値として設定し、始動記憶数が当該基準値１０以上の場合に選択される「消化する始動記憶数」は、始動記憶数が当該基準値１０未満の場合に選択される「消化する始動記憶数」より多い数値が選択され易い様に、判定値の割り振りが設定されている。
【０１０６】
すなわち、ステップＳ１２３（一括導出数選択手段）は、ステップＳ１１１（数値データ数判定手段）によってＲＡＭ（数値データ記憶手段）５５に記憶された始動記憶数すなわち乱数値の個数（数値データの個数）が１０個（所定の基準値）以上と判定されたときステップＳ５３の一括消化設定処理（表示結果一括導出手段）によって導出する始動記憶数すなわち乱数値の個数を、ステップＳ１１１によってＲＡＭ５５に記憶された始動記憶数すなわち乱数値の個数が１０個より少ないと判定されたとき、ステップＳ５３の一括消化設定処理によって導出する始動記憶数より、多い始動記憶数を選択される割合が高くなるようにステップＳ１２３（一括導出数選択手段）において選択を行うときに用いる選択データを構成した数値データ数選択テーブルを用いて選択するものである。
【０１０７】
次に、表示制御手段の動作を説明する。図柄制御基板８０に搭載された表示制御用ＣＰＵ（図示しない）が実行するメイン処理では、まず、ＲＡＭ領域のクリアや各種初期値の設定、また表示制御の起動間隔を決めるための２ｍＳタイマの初期設定等を行うための初期化処理が行われる。その後、表示制御用ＣＰＵは、タイマ割込フラグの監視の確認を行うループ処理に移行する。
【０１０８】
タイマ割込が発生すると、図柄制御基板８０に搭載された表示制御用ＣＰＵは、タイマ割込フラグをセットする。メイン処理において、タイマ割込フラグがセットされていたら、表示制御用ＣＰＵは、そのフラグをクリアし、以下の表示制御処理を実行する。
【０１０９】
本実施形態では、タイマ割込は２ｍＳ毎に実行される。すなわち、表示制御処理は、２ｍＳ毎に起動される。また、本実施形態では、タイマ割込処理ではフラグセットのみがなされ、具体的な表示制御処理はメイン処理において実行されるが、タイマ割込処理で表示制御処理を実行してもよい。
【０１１０】
表示制御処理において、図柄制御基板８０に搭載された表示制御用ＣＰＵは、まず、受信した表示制御コマンドを解析する（コマンド解析処理）。次いで表示制御用ＣＰＵは、表示制御プロセス処理を行う。表示制御プロセス処理では、制御状態に応じた各プロセスのうち、現在の制御状態に対応したプロセスを選択して実行する。そして、乱数カウンタを更新する処理を実行する。その後、前述のタイマ割込フラグの確認を行う処理に戻る。
【０１１１】
上記したコマンド解析処理において、表示制御用ＣＰＵ（図示しない）は、受信コマンドバッファに格納された、主基板３１から受信された表示制御コマンドの内容を確認する。
【０１１２】
コマンド解析処理において、表示制御用ＣＰＵは、まず、コマンド受信バッファに受信コマンドが格納されているか否か確認する。格納されているか否かは、コマンド受信個数カウンタの値と読出ポインタとを比較することによって判定される。両者が一致している場合が、受信コマンドが格納されていない場合である。コマンド受信バッファに受信コマンドが格納されている場合には、表示制御用ＣＰＵは、コマンド受信バッファから受信コマンドを読み出す。なお、読み出し後には読出ポインタの値を＋１しておく。
【０１１３】
なお、この実施の形態の表示制御用ＲＡＭ（図示しない）が備える上記したコマンド受信バッファは、主基板３１から送信される各表示制御コマンドを、受信した順番が特定可能となるように記憶するものである。
【０１１４】
したがって、先ず一括消化する始動記憶数を指定する一括消化数指定の表示制御コマンドを受信すると、表示制御用ＣＰＵは、受信した表示制御コマンドに示される一括消化数分に対応したＲＡＭのコマンド受信バッファにおける左中右特別図柄格納領域を、今回の一括消化用格納領域に設定する。
【０１１５】
次に、受信した表示制御コマンドが左特別図柄指定の表示制御コマンドであれば、表示制御用ＣＰＵは、該表示制御コマンドで示される左特別図柄を示すデータを、上記した左特別図柄格納領域に格納する。また、受信した表示制御コマンドが中特別図柄指定の表示制御コマンドであれば、表示制御用ＣＰＵは、該表示制御コマンドで示される中特別図柄を示すデータを、上記した中特別図柄格納領域に格納する。そして、受信した表示制御コマンドが右特別図柄指定の表示制御コマンドであれば、表示制御用ＣＰＵは、該表示制御コマンドで示される右特別図柄を示すデータを、上記した右特別図柄格納領域に格納する。このような左中右特別図柄の格納処理を一括消化数分に対応して設定された左中右特別図柄格納領域の全領域に格納が完了するまで実行する。格納が完了すると左中右特別図柄受信フラグをセットする。
【０１１６】
また、受信した表示制御コマンドが変動パターン指定の表示制御コマンドであれば、表示制御用ＣＰＵは、そのコマンドのＥＸＴデータを変動パターンデータ格納領域に格納し、変動パターン受信フラグをセットする。
【０１１７】
受信した表示制御コマンドが始動記憶数指定の表示制御コマンドであれば、表示制御用ＣＰＵは、ＲＡＭにおける始動入賞数記憶領域の始動記憶数を表示制御コマンドで指定された数に更新する。また、可変表示装置９において特別図柄始動記憶数表示画像１２５の数値及び特別図柄始動記憶数表示用キャラクタ画像１２４の太り具合（痩せ具合）を更新する。
【０１１８】
そして、先に読み出した受信コマンドがその他の表示制御コマンドである場合には、受信コマンドに対応するフラグをセットする。
【０１１９】
表示制御用ＣＰＵは、表示制御のメイン処理において、上記したコマンド解析処理が完了すると、続いて表示制御プロセス処理を行う。表示制御プロセス処理では、表示制御プロセスフラグの値に応じて、以下に説明する各処理のうちのいずれかの処理が選択され実行される。
【０１２０】
変動パターンコマンド受信待ち処理では、コマンド受信割込処理によって、変動時間を特定可能な表示制御コマンド（変動パターンコマンド）を受信したか否か確認する。具体的には、変動パターンコマンドが受信されたことを示すフラグ（変動パターン受信フラグ）がセットされたか否か確認する。変動パターン受信フラグは、コマンド解析処理によって、変動パターン指定の表示制御コマンドが受信されたことが確認された場合にセットされる。
【０１２１】
演出設定処理では、表示制御用ＣＰＵは、先ず受信した変動パターンコマンドが一括消化コマンドであると確認された場合に、一括消化フラグがセットされる。一括消化フラグがセットされているならば、始動記憶数または始動記憶数の変動状態を表示する特別図柄始動記憶数表示用キャラクタ画像１２４、および特別図柄始動記憶数表示画像１２５の表示態様を決定する。続いて、上記したコマンド解析処理において解析した左中右特別図柄指定の表示制御コマンドに従って、特別図柄の停止図柄の数と種類のうち少なくともいずれか１つを決定する。特別図柄の停止図柄に関する決定が完了すると、次に、変動パターンコマンドで指示された変動時間を、変動時間タイマにセットする。
【０１２２】
なお、一括消化する場合の変動時間は、受信した変動パターンコマンドに基づき、表示制御用ＣＰＵが変動パターンコマンドで指定された一括消化数分のプロセスデータを選択し各プロセスデータのプロセスタイマ設定値に基づき、一括消化する変動パターンの変動時間を設定する。
【０１２３】
図柄変動開始処理では、上記した特別図柄の変動が開始されるように制御する。本実施形態の一括消化処理が実行される場合、複数組の特別図柄の変動が同時に開始される。
【０１２４】
図柄変動中処理では、変動パターンを構成する各変動状態（変動速度）の切替タイミングを制御するとともに、変動時間の終了を監視する。また、特別図柄の停止制御を行う。また、一括消化処理が実行される場合、受信した変動パターンコマンドに基づき設定した各プロセスデータのうち、上記したプロセスデータのプロセスタイマ設定値の最も長い変動以外に対して、図柄変動中処理ではプロセスタイマ設定値に従って特別図柄の変動を停止し停止図柄（確定図柄）を表示する制御を行う。
【０１２５】
図柄停止待ち処理では、変動時間の終了時に、全図柄停止を指示する表示制御コマンド（特別図柄停止の表示制御コマンド）を受信していたら、図柄の変動を停止し停止図柄（確定図柄）を表示する制御を行う。また、一括消化処理が実行される場合、受信した変動パターンコマンドに基づき設定した各プロセスデータのうち、上記したプロセスデータのプロセスタイマ設定値の最も長い変動がタイムアウトしたときに、全図柄停止を指示する表示制御コマンド（特別図柄停止の表示制御コマンド）を受信していたら、図柄の変動を停止し停止図柄（確定図柄）を表示する制御を行う。
【０１２６】
大当り表示処理では、変動時間の終了後、確変大当り表示または通常大当り表示の制御を行う。
【０１２７】
大当り遊技中処理では、大当り遊技中の制御を行う。例えば、大入賞口開放前表示や大入賞口開放時表示の表示制御コマンドを受信したら、ラウンド数の表示制御等を行う。
【０１２８】
上記したように図柄制御基板８０に搭載された表示制御用ＣＰＵは、主基板３１から受信した表示制御コマンドに基づいて表示制御を行う。本発明における始動記憶の一括消化設定処理が実行された際に、如何なる態様で表示されるかを、以下に示す図８および図９に基づき説明する。
【０１２９】
図８及び図９は、本実施形態の一括消化設定処理が実行された場合の可変表示装置９における表示の一例を示す画像イメージ図である。
【０１３０】
なお、本実施形態は消化する始動記憶に対応した表示結果が可変表示装置９に導出表示されるため、複数の始動記憶を一括して消化する場合には、当該始動記憶の個数に対応して同数の表示結果が導出表示される。このとき、導出表示される表示結果は、何れも左、中、右の３種類の図柄の組合せによって構成される。したがって、消化する始動記憶が１個の場合には、例えば図８（Ａ）で示すように図柄表示部８ａに表示される左図柄、図柄表示部８ｂに表示される中図柄、図柄表示部８ｃに表示される右図柄、の１組の表示結果が導出表示される。
【０１３１】
また、消化する始動記憶が４個の場合には、例えば図８（Ｅ）で示すように、特別図柄第１可変表示部１２０、特別図柄第２可変表示部１２１、特別図柄第３可変表示部１２２、特別図柄第４可変表示部１２３、において何れも左、中、右の３種類の図柄が導出表示される。例えば、特別図柄第１可変表示部１２０には、第１図柄表示部８ａに表示される左図柄、第１図柄表示部８ｂに表示される中図柄、第１図柄表示部８ｃに表示される右図柄、の１組の表示結果が導出表示され、他の可変表示部においても同様に１組ずつの表示結果が導出表示されることによって、合計４組の表示結果が導出表示される。
【０１３２】
さらに、図８及び図９では、消化する始動記憶の数が１または４の場合のみを示すが、消化する始動記憶の数が２または３の場合も、それぞれ始動記憶の数に対応して、それと同数の表示結果が導出表示されるものである。
【０１３３】
図８（Ａ）には、可変表示装置９の特別図柄可変表示部８に、前回の変動の結果として１組のはずれ図柄が導出表示されている状態が示される。この場合、図柄表示部８ａには左図柄として７、図柄表示部８ｂには左図柄として５、図柄表示部８ｃには左図柄として６、が表示される。
【０１３４】
また、特別図柄可変表示部８の右側方上部には、始動記憶数が多ければ太り、少なければ痩せる、特別図柄始動記憶数表示用キャラクタ画像１２４がアナログ表示される。さらに該特別図柄始動記憶数表示用キャラクタ画像１２４に重なるようにして、始動記憶数の変動状態を示唆する特別図柄始動記憶数表示画像１２５が表示される。
【０１３５】
図８（Ａ）には特別図柄始動記憶数表示画像１２５として、「１５」と表示されている。これは、前回の変動の結果、現時点の始動記憶数が１５であることを示唆するものである。なお、該特別図柄始動記憶数表示画像１２５における他の表示態様として、後述する図８（Ｂ）に示す表示態様がある。図８（Ｂ）には「１５→１１」と表示されるが、これは現時点における始動記憶数１５が、今回の変動において４消化されて１１となることを示唆している。つまり今回の変動で一括して消化する始動記憶数を、表示する消化の前後の始動記憶数の差によって示している。具体的には、始動入賞口１４に遊技球が入賞して、入賞口スイッチ１４ａにおける検出が行われると、ステップＳ３１２の始動口スイッチ通過処理において始動記憶カウンタのカウント値が１加算された値が、この場合上記した、消化前の始動記憶数１５となる。さらにステップＳ５３の一括消化設定処理の、ステップＳ１３３において決定する「一括消化する始動記憶数」が４と決定した場合、消化前の始動記憶数１５から４を減算した結果である１１が、消化後の始動記憶数として表示される。
【０１３６】
このように、ステップＳ５３の一括消化設定処理（表示結果一括導出手段）によって乱数（数値データ）をまとめて導出したとき、図柄制御基板８０に搭載されている表示制御用ＣＰＵ（表示制御手段）は、まとめて導出した始動記憶数（数値データの個数）を報知する機能を有する。
【０１３７】
次に図８（Ｂ）で示すように、可変表示装置９には上記した「一括消化する始動記憶数」である４に対応して、４箇所の可変表示部すなわち特別図柄第１可変表示部１２０、特別図柄第２可変表示部１２１、特別図柄第３可変表示部１２２、および特別図柄第４可変表示部１２３、が表示され、上記したようにそれぞれに左中右の３つの図柄が変動を開始する。
【０１３８】
図８（Ｃ）では上記した４箇所の可変表示部の各左図柄表示部すなわち第１図柄表示部（左）１２０ａ、第２図柄表示部（左）１２１ａ、第３図柄表示部（左）１２２ａ、および第４図柄表示部（左）１２３ａ、がそれぞれ７、１、３、７の図柄を導出表示する。
【０１３９】
図８（Ｄ）では上記した４箇所の可変表示部の各右図柄表示部すなわち第１図柄表示部（右）１２０ｃ、第２図柄表示部（右）１２１ｃ、第３図柄表示部（右）１２２ｃ、および第４図柄表示部（右）１２３ｃ、がそれぞれ６、０、２、５の図柄を導出表示する。
【０１４０】
図８（Ｅ）では上記した４箇所の可変表示部の各中図柄表示部すなわち第１図柄表示部（中）１２０ｂ、第２図柄表示部（中）１２１ｂ、第３図柄表示部（中）１２２ｂ、および第４図柄表示部（中）１２３ｂ、がそれぞれ５、１、１、４の図柄を導出表示する。この結果、特別図柄第１可変表示部１２０には「７５６」、特別図柄第２可変表示部１２１には「１１０」、特別図柄第３可変表示部１２２には「３１２」、および特別図柄第４可変表示部１２３には「７４５」が確定表示される。
【０１４１】
すなわち、ステップＳ５３の一括消化設定処理（表示結果一括導出手段）によって乱数値（数値データ）に対応した停止図柄（表示結果）を導出するとき、図柄制御基板８０に搭載された表示制御用ＣＰＵ（表示制御手段）は、すべての乱数値に対応する停止図柄を個々に導出表示する。
【０１４２】
これにより一括消化した４個の始動記憶には、大当り遊技状態となる始動記憶は含まれてはおらず、今回の変動の結果はハズレとなる。また、特別図柄始動記憶数表示画像１２５は、４個の始動記憶を一括消化した結果として現時点の始動記憶数である「１１」を表示する。
【０１４３】
このように、本実施形態では消化する始動記憶の中に大当り遊技状態となる始動記憶が含まれていなくても、つまり大当り遊技状態となる始動記憶の有無に拘わらず、一括消化を実行するものである。つまり上記した一括消化設定処理で、ステップＳ１３０における判定結果が大当りとなる場合にはステップＳ１３２を経てステップＳ１３３で現時点の検査回数カウンタ（Ｋ）の値を一括消化する始動記憶数として設定することで、一括消化設定処理が実行される。また、ステップＳ１３０における判定結果がハズレとなる場合においても、次のステップＳ１３１で処理数が０となっているか否かの判定を行い、０であれば、つまり処理数の中に大当りとなる始動記憶が含まれていないときは、ステップＳ１３３で現時点の検査回数カウンタ（Ｋ）の値を一括消化する始動記憶数として設定する。
【０１４４】
上記したように図８（Ａ）〜（Ｅ）は、一括消化する４個の始動記憶の中に大当り遊技状態となる始動記憶が含まれない場合を示したが、次に、一括消化する４個の始動記憶の中に大当り遊技状態となる始動記憶が含まれる場合を、図８（Ｆ）〜（Ｈ）、続いて図９（Ａ）〜（Ｅ）に示す。
【０１４５】
図８（Ｅ）でハズレとなった後、「一括消化する始動記憶数」を２とした変動の結果、図８（Ｆ）に示すように特別図柄第１可変表示部１２０には「１４１」、および特別図柄第４可変表示部１２３には「５１０」が導出表示されており、現時点の始動記憶数を示す特別図柄始動記憶数表示画像１２５として「８」が表示されている。
【０１４６】
このとき、ステップＳ５３の一括消化設定処理の、ステップＳ１３３において決定する「一括消化する始動記憶数」が４と決定した場合、消化前の始動記憶数８から４を減算した結果である４が、消化後の始動記憶数として表示される。
【０１４７】
次に図８（Ｇ）で示すように、可変表示装置９には上記した「一括消化する始動記憶数」である４に対応して、４箇所の可変表示部すなわち特別図柄第１可変表示部１２０、特別図柄第２可変表示部１２１、特別図柄第３可変表示部１２２、および特別図柄第４可変表示部１２３、のそれぞれに表示された左中右の３つの図柄が変動を開始する。
【０１４８】
図８（Ｈ）では上記した４箇所の可変表示部の各左図柄表示部すなわち第１図柄表示部（左）１２０ａ、第２図柄表示部（左）１２１ａ、第３図柄表示部（左）１２２ａ、および第４図柄表示部（左）１２３ａ、がそれぞれ５、１、６、７の図柄を導出表示する。
【０１４９】
図９（Ａ）では上記した４箇所の可変表示部の各右図柄表示部すなわち第１図柄表示部（右）１２０ｃ、第２図柄表示部（右）１２１ｃ、第３図柄表示部（右）１２２ｃ、および第４図柄表示部（右）１２３ｃ、がそれぞれ３、２、６、７の図柄を導出表示する。これにより、特別図柄第３可変表示部１２２、および特別図柄第４可変表示部１２３はリーチ状態となる。
【０１５０】
図９（Ｂ）では上記した４箇所のうち２箇所の可変表示部の各中図柄表示部すなわち第１図柄表示部（中）１２０ｂ、および第２図柄表示部（中）１２１ｂ、がそれぞれ４、２の図柄を導出表示する。
【０１５１】
このように、本実施形態の図柄制御基板８０に搭載された表示制御用ＣＰＵは、同時に４箇所の可変表示部に表示結果を導出表示するのではなく、各可変表示部が表示結果を導出表示する表示時期がずれるように制御する。例えば、図９（Ａ）〜（Ｄ）において最初に特別図柄第１可変表示部１２０と特別図柄第２可変表示部１２１、次に特別図柄第３可変表示部１２２、最後に特別図柄第４可変表示部１２３の順に停止図柄が確定表示するように制御される。つまり、ステップＳ５３の一括消化設定処理（表示結果一括導出手段）によって乱数値（数値データ）に対応した停止図柄（表示結果）を導出するとき、図柄制御基板８０に搭載された表示制御用ＣＰＵ（表示制御手段）は、４個（複数）の停止図柄（表示結果）の導出表示タイミングを異ならせて導出表示する機能を含む。当該機能は、表示制御用ＣＰＵが、主基板３１から受信した１つの変動パターンコマンドに基づき実行するものである。つまり、表示制御用ＣＰＵが、受信した１つの変動パターンコマンドに指示される変動時間に適合し、且つ変動時間がそれぞれ異なるプロセスデータを選択して実行される。
【０１５２】
図９（Ｃ）では未だ図柄が確定されていない２箇所の可変表示部のうちの１箇所である第３図柄表示部（中）１２２ｂが１の図柄を導出表示する。
【０１５３】
図９（Ｄ）では残る１箇所の可変表示部である第４図柄表示部（中）１２３ｂが７の図柄を導出表示する。これにより、４箇所の可変表示部のうちの１箇所の可変表示部で「７７７」の大当り図柄が導出表示され、特別図柄始動記憶数表示画像１２５は、４個の始動記憶を一括消化した結果として現時点の始動記憶数である「４」を表示した後、図９（Ｅ）で示すように、４箇所の可変表示部すなわち特別図柄第１可変表示部１２０、特別図柄第２可変表示部１２１、特別図柄第３可変表示部１２２、および特別図柄第４可変表示部１２３が消去された後に、特別図柄可変表示部８には大当り図柄「７７７」が表示される。
【０１５４】
【発明の効果】
以上、説明したところから明らかなように、請求項１の発明においては、複数個の数値データに対応した表示結果を導出する数値データの個数を変化させ、且つ数値データ記憶手段に記憶された数値データの中に特定表示結果となる数値データが含まれる場合にも複数の数値データに対応した表示結果を導出することで、遊技者に特定遊技状態の発生を悟られ難く出来ると共に数値データに基づく可変表示を効率良く実行出来るため、遊技の興趣を向上させることが出来る。
【０１５５】
また、請求項２の発明においては、数値データ数に関する変動の表現を所定のキャラクタ画像の形態を変化させることによって、数値データ数の演出表示のバリエーションが豊富になり、遊技の興趣を向上させることが出来る。また、複数の数値データに基づく表示結果を導出することにより、数値データ記憶手段に記憶された数値データ数の表現を所定のキャラクタ画像の形態を変化させて表現した場合でも、変化を顕著に表現することが容易となり、遊技者は変化を一目瞭然に認識することが可能となる。その為、演出を遊技者の視覚に効果的に働きかけることが可能となる。
【０１５６】
また、請求項３の発明においては、個々の数値データに基づく表示結果を遊技者は確認できることにより、複数の数値データに基づく表示結果を導出する際でも、特定表示結果となる数値データが無効になってはいないか、という疑念を抱く余地がなくなる。
【０１５７】
また、請求項４の発明においては、複数の表示結果の導出タイミングが不一致となることで互いに前後する為、遊技者の表示結果に対する興味をより長く惹きつけておくことが可能となり、遊技の興趣を持続させることが出来る。
【０１５８】
また、請求項５の発明においては、数値データ記憶手段に記憶された数値データの数が多いほど、多くの数値データに基づく表示結果を導出出来るため数値データに基づく表示結果を効率良く導出出来る。これにより遊技機の稼働率が高くなり、遊技の興趣を向上させることが出来る。
【０１５９】
さらに、請求項６の発明においては、報知された数値データ数によって、遊技者は導出された数値データ数を確認できることにより、複数の数値データに基づく表示結果を導出する際でも、特定表示結果となる可能性を有する数値データが無効になってはいないか、という疑念を抱く余地がなくなる。また、遊技者はいくつの数値データに基づく表示結果が導出されるのかを一目瞭然に認識することが出来る。
【図面の簡単な説明】
【図１】パチンコ遊技機を正面からみた正面図である。
【図２】遊技制御基板（主基板）の回路構成例を示すブロック図である。
【図３】ＣＰＵ５６が実行する特別図柄プロセス処理のプログラムの一例を示すフローチャートである。
【図４】始動口スイッチ通過処理の一例を示すフローチャートである。
【図５】特別図柄通常処理の一例を示すフローチャートである。
【図６】一括消化設定処理の一例を示すフローチャートである。
【図７】一括消化判定テーブルの一例を示す説明図である。
【図８】本実施形態の一括消化設定処理が実行された場合の可変表示装置９における表示の一例を示す画像イメージ図である。
【図９】本実施形態の一括消化設定処理が実行された場合の可変表示装置９における表示の一例を示す画像イメージ図である。
【符号の説明】
１  パチンコ遊技機（遊技機）
９  可変表示装置（可変表示装置）
５５  ＲＡＭ（数値データ記憶手段）
１２４  特別図柄始動記憶数表示用キャラクタ画像（キャラクタ画像）
【図１】
2004344466.tif 000003
【図２】
2004344466.tif 000004
【図３】
2004344466.tif 000005
【図４】
2004344466.tif 000006
【図５】
2004344466.tif 000007
【図６】
2004344466.tif 000008
【図７】
2004344466.tif 000009
【図８】
2004344466.tif 000010
【図９】
2004344466.tif 000011